(57)【要約】  通信ネットワークシステムで実行されるオフラインP2P通信で使用される方法が提案され、オフラインP2P通信サービスに登録する要求をUEから受信し、UEが要求に従ってオフラインP2P通信を実行するための所定の要件を満たすか否かを判定し、判定結果に従って認証情報を生成し、認証情報は、UEがオフラインP2P通信サービスを使用することができるか否かを示し、認証情報をUEに送信することを有する。
2008510341.tif 000002
【特許請求の範囲】
【請求項１】
通信ネットワークシステムで実行されるオフラインP2P通信で使用される方法であって：
オフラインP2P通信サービスに登録する要求をUEから受信し；
前記UEが前記要求に従ってオフラインP2P通信を実行するための所定の要件を満たすか否かを判定し；
前記判定結果に従って認証情報を生成し、前記認証情報は、ユーザがオフラインP2P通信サービスを使用することができるか否かを示し；
前記認証情報を前記UEに送信することを有する方法。
【請求項２】
前記認証情報は、前記UEが前記所定の要件を満たす場合に、認証識別子を少なくとも有し、
前記認証識別子は、前記UEがオフラインP2P通信サービスを使用することができることを示す、請求項１に記載のオフラインP2P通信で使用される方法。
【請求項３】
前記認証情報は、前記UEが前記所定の要件を満たす場合に、前記UEがオフラインP2P通信を実行する所定の期間を更に有する、請求項２に記載のオフラインP2P通信で使用される方法。
【請求項４】
前記所定の期間は、以下の２つの方法：
(1)前記UEにより前払いされたオフラインP2P通信の料金に対応する所定の期間を決定すること；
(2)前記UEが従来の通信モードで通信する累積時間に対応する所定の期間を決定すること；
のうち一方で決定される、請求項３に記載のオフラインP2P通信で使用される方法。
【請求項５】
前記UEが前記認証情報に従ってオフラインP2P通信が開始され得るか否かを決定する機能を有するように、認証モジュールを前記UEに送信することを更に有する、請求項１に記載のオフラインP2P通信で使用される方法。
【請求項６】
P2P通信パラメータを設定し；
前記UEがオフラインP2P通信を実行するときに前記P2P通信パラメータに従ってその送信電力を制御することができるように、前記P2P通信パラメータを前記UEに送信することを更に有する、請求項１ないし５のうちいずれか１項に記載のオフラインP2P通信で使用される方法。
【請求項７】
前記P2P通信パラメータは、２つのグループの値を少なくとも有し、
電力制御は、前記UEの位置に従って１つの対応するグループの値で実施される、請求項６に記載のオフラインP2P通信で使用される方法。
【請求項８】
前記UEがその位置に従って対応のP2P通信パラメータを選択する機能を有するように、P2P通信パラメータ呼び出しモジュールを前記UEに送信することを更に有する、請求項１ないし５のうちいずれか１項に記載のオフラインP2P通信で使用される方法。
【請求項９】
前記UEが累積されたP2P通信時間に従ってオフラインP2P通信が可能になり得るか否かを決定する機能を有するように、課金モジュールを前記UEに送信することを更に有する、請求項１ないし５のうちいずれか１項に記載のオフラインP2P通信で使用される方法。
【請求項１０】
UEで実行されるオフラインP2P通信で使用される方法であって：
オフラインP2P通信に登録する要求を通信ネットワークシステムに送信し；
前記通信ネットワークシステムから認証情報を受信し、前記認証情報は、前記UEがオフラインP2P通信サービスを使用することができるか否かを示し；
前記認証情報に従ってオフラインP2P通信が開始され得るか否かを判定することを有する方法。
【請求項１１】
前記認証情報が認証識別子を有する場合に、オフラインP2P通信が開始され、
前記認証識別子は、前記UEがオフラインP2P通信サービスを使用することができることを示す、請求項１０に記載のオフラインP2P通信で使用される方法。
【請求項１２】
前記認証情報が未認証識別子を有する場合に、オフラインP2P通信が開始されず、
前記未認証識別子は、前記UEがオフラインP2P通信サービスを使用することができないことを示す、請求項１１に記載のオフラインP2P通信で使用される方法。
【請求項１３】
前記通信ネットワークシステムから認証モジュールを受信し、前記認証モジュールは、前記UEがオフラインP2P通信サービスを使用することができるか否かを判定するために使用され；
前記UEが前記認証情報に従ってオフラインP2P通信が開始され得るか否かを決定する機能を有するように、前記認証モジュールを作動することを更に有する、請求項１０に記載のオフラインP2P通信で使用される方法。
【請求項１４】
前記通信ネットワークシステムからP2P通信パラメータを受信し；
オフラインP2P通信を実行するときに送信電力を制御するために使用されるように、前記P2P通信パラメータを格納することを更に有する、請求項１０ないし１３のうちいずれか１項に記載のオフラインP2P通信で使用される方法。
【請求項１５】
前記P2P通信パラメータは、前記UEの位置に従って２つのグループの値を少なくとも有し、
前記方法は：
前記UEの位置を検出し；
前記検出結果に従って対応するグループのP2P通信パラメータを選択し；
前記選択されたP2P通信パラメータを使用することにより、オフラインP2P通信の送信電力を制御することを更に有する、請求項１４に記載のオフラインP2P通信で使用される方法。
【請求項１６】
前記通信ネットワークシステムからP2P通信パラメータ呼び出しモジュールを受信し；
前記UEがその位置に対応するP2P通信パラメータを選択する機能を有するように、前記P2P通信パラメータ呼び出しモジュールを作動することを更に有する、請求項１０ないし１３のうちいずれか１項に記載のオフラインP2P通信で使用される方法。
【請求項１７】
前記認証情報は、前記認証識別子を有し、
前記方法は：
前記UEがオフラインP2P通信を実行する所定の期間を前記認証情報が更に有するか否かを検出し；
前記認証情報が前記所定の期間を有する場合に、オフラインP2P通信中の前記UEの時間を累積し；
前記累積時間が前記所定の期間を超過したか否かを判定し；
前記所定の期間を超過した場合に、未認証識別子として前記認証情報を設定することを更に有する、請求項１１に記載のオフラインP2P通信で使用される方法。
【請求項１８】
前記認証情報は、前記認証識別子を有し、
前記方法は：
前記通信システムから課金モジュールを受信し：
前記UEが累積されたP2P通信時間に従ってオフラインP2P通信が開始され得るか否かを決定する機能を有するように、前記課金システムを作動することを更に有する、請求項１１に記載のオフラインP2P通信で使用される方法。
【請求項１９】
オフラインP2P通信サービスに登録する要求をUEから受信する受信ユニットと；
前記UEが前記要求に従ってオフラインP2P通信を実行するための所定の要件を満たすか否かを判定する判定ユニットと；
前記判定結果に従って認証情報を生成し、前記認証情報は、前記UEがオフラインP2P通信サービスを使用することができるか否かを示す生成ユニットと；
前記認証情報を前記UEに送信する送信ユニットと；
を有する通信ネットワークシステム。
【請求項２０】
前記認証情報は、前記UEが前記所定の要件を満たす場合に、認証識別子を少なくとも有し、
前記認証識別子は、前記UEがオフラインP2P通信サービスを使用することができることを示す請求項１９に記載の通信ネットワークシステム。
【請求項２１】
前記認証情報は、前記UEが前記所定の要件を満たす場合に、前記UEがオフラインP2P通信を実行する所定の期間を更に有する請求項１９に記載の通信ネットワークシステム。
【請求項２２】
前記所定の期間は、以下の２つの方法：
(1)前記UEにより前払いされたオフラインP2P通信の料金に従って、対応する所定の期間を決定すること；
(2)前記UEが従来の通信モードで通信する累積時間に従って、対応する所定の期間を決定すること；
のうち一方で決定される請求項２１に記載の通信ネットワークシステム。
【請求項２３】
P2P通信パラメータを設定する設定ユニットを更に有し；
前記送信ユニットは、前記UEがオフラインP2P通信を実行するときに前記P2P通信パラメータに従ってその送信電力を制御することができるように、P2P通信パラメータを前記UEに送信する請求項１９ないし２２のうちいずれか１項に記載の通信ネットワークシステム。
【請求項２４】
オフラインP2P通信に登録する要求を通信ネットワークシステムに送信する送信ユニットと；
前記通信ネットワークシステムから認証情報を受信し、前記認証情報は、前記UEがオフラインP2P通信サービスを使用することができるか否かを示す受信ユニットと；
前記認証情報に従ってオフラインP2P通信が開始され得るか否かを判定する認証モジュールと；
を有するUE。
【請求項２５】
前記認証モジュールは：
前記認証情報が認証識別子を有するか否かを判定し、前記認証識別子は、前記UEがオフラインP2P通信サービスを使用することができることを示す判定モジュールと；
前記認証情報が認証識別子を有する場合に、他のUEとオフラインP2P通信を開始し、前記認証情報が未認証識別子を有する場合に、他のUEとオフラインP2P通信を開始しない開始モジュールと；
を有する請求項２４に記載のUE。
【請求項２６】
前記認証モジュールは、前記通信ネットワークシステムからのものであり；
前記UEは：
前記UEが前記認証情報に従ってオフラインP2P通信が開始され得るか否かを決定する機能を有するように、前記認証モジュールを作動するインストールユニットを更に有する請求項２４に記載のUE。
【請求項２７】
前記受信ユニットは、前記通信ネットワークシステムからP2P通信パラメータを受信し、
前記UEは：
前記UEの位置を検出し、前記検出結果に従って対応するグループのP2P通信パラメータを選択するP2P通信パラメータ呼び出しモジュールと；
前記選択されたP2P通信パラメータを使用して、オフラインP2P通信の送信電力を制御する電力制御ユニットと；
を更に有する請求項２４ないし２６のうちいずれか１項に記載のUE。
【請求項２８】
前記受信ユニットは、前記通信ネットワークシステムからP2P通信パラメータ呼び出しモジュールを受信し；
前記インストールユニットは、前記UEがその位置に対応するP2P通信パラメータを選択する機能を有するように、前記P2P通信パラメータ呼び出しモジュールを作動する請求項２６に記載のUE。
【請求項２９】
課金モジュールを更に有し、
前記課金モジュールは：
前記UEがオフラインP2P通信を実行する所定の期間を前記認証情報が更に有するか否かを検出する検出ユニットと；
前記認証情報が前記所定の期間を有する場合に、前記UEがオフラインP2P通信を実行する時間を累積する累積ユニットと；
前記累積時間が前記所定の期間を超過したか否かを判定する判定ユニットと；
前記所定の期間を超過した場合に、未認証識別子として前記認証情報を設定する設定ユニットと；
を有する請求項２４ないし２６のうちいずれか１項に記載のUE。
【請求項３０】
前記受信ユニットは、前記通信システムから課金モジュールを受信し：
前記インストールユニットは、前記UEが累積されたP2P通信時間に従ってオフラインP2P通信が開始され得るか否かを決定する機能を有するように、前記課金システムを作動する請求項２６に記載のUE。
【発明の詳細な説明】
【技術分野】
【０００１】
本発明は、概して無線通信ネットワークに関し、特に無線通信ネットワークでP2P通信を行う方法及び装置に関する。
【背景技術】
【０００２】
従来のセルラ移動通信システムでは、UE（user  equipment）は、基地局の中継を通じて他のUEと通信する必要がある。図１は、TD-SCDMAシステムで使用されるこの従来の通信モードを示している。TD-SCDMAシステムで、UE1及びUE2は、基地局トランシーバ（Node  B）とRNC（radio  network  controller）とを有するUTRANを通じて情報を交換する。この従来の通信モードはまた、UP-UTRAN-DOWNモードとも呼ばれている。しかし、セルにキャンピングしている２人のユーザが相互に非常に近くなる場合に、２人のユーザが基地局の中継／転送を通じてではなく、直接に通信することが合理的な場合がある。これは、いわゆるピア・ツー・ピア通信と呼ばれ、P2Pと略される。
【０００３】
図２は、TD-SCMDAシステムのP2P通信モードを示している。図２に示すように、UTRANとUE1及びUE2との間でシグナリングを伝達するために、制御リンク（点線で示す）のみが存在するが、通信中のUE1とUE2との間でトラヒックデータを伝達するために、P2P直接リンク（実線で示す）のみが存在する。従来の通信モードに比べて、P2P通信は50%までの無線リソースを節約することができ、同時に、UTRANはP2P通信（特に無線リソースの使用）の制御を保持する。従って、ネットワークオペレータがP2P通信により使用される無線リソースに料金を請求することが非常に容易である。
【０００４】
2003年3月7日にKONINKLIJKE  PHILIPS  ELECTRONICS  N.V.により出願された特許出願第03119892.9及び03119894.5に記載のように、UTRANに制御されるこのP2P通信モードはまた、オンラインP2P通信モードとも呼ばれる。これらの文献が参照として取り込まれる。
【０００５】
前記のオンラインP2P通信モードに基づいて、基地局の制御なしにUEが自己組織的にP2P通信を可能にする新しい通信モードが提案され得る。これはオフラインP2P通信モードである。オフラインP2P通信モードでは、シグナリングオーバーヘッドが節約され得るだけでなく、２つのUEだけで通信が確立され、海洋や山や戦場等のような無線ネットワークのサービスエリアの外側で通信を始めることができる。
【０００６】
図３は、TD-SCDMAシステムでのオフラインP2P通信モードを示している。図３に示すように、まず、オフラインP2P通信を実行するUE1及びUE2は、従来の通信モードで自分とそのピアとのP2P通信識別コードを取得する。P2P通信識別コードを取得する方法については、代理人管理番号No.CN040033でこの出願と共にKONINKLIJKE  PHILIPS  ELECTRONICS  N.V.により出願された特許出願に詳細に記載されている。この文献が参照として取り込まれる。
【０００７】
次に、UE1及びUE2は、UTRANの制御なしに、取得されたP2P通信識別コードでP2P通信を確立して維持する。前記の手順は、代理人管理番号No.CN040035でこの出願と共にKONINKLIJKE  PHILIPS  ELECTRONICS  N.V.により出願された特許出願に詳細に記載されている。この文献が参照として取り込まれる。
【０００８】
オフラインP2P通信手順の間に、UTRANとUE1及びUE2との間に制御リンクが存在しないため、UE1及びUE2は、P2P通信が終了した後に従来の通信モードに戻るときに、ネットワークオペレータの課金の役目の参照として、自分で通信期間とサービス形式とを記録してこの記録をUTRANにそれぞれ報告する必要がある。オフラインP2P通信モードで課金方法を実装する方法に関して、代理人管理番号No.CN040036でこの出願と共にKONINKLIJKE  PHILIPS  ELECTRONICS  N.V.により出願された特許出願に詳細に記載されている。
【発明の開示】
【発明が解決しようとする課題】
【０００９】
しかし、課金システムの実行可能性は、UEが通信期間とサービス形式とを記録して、UTRANがUEにより報告された情報に従って課金を実行するこの方法に影響され得る。従って、容易且つ実施可能なオフラインP2P通信方法を提案する必要がある。
【００１０】
本発明の目的は、オフラインP2P通信方法及び装置を提供することであり、このオフラインP2P通信方法及び装置では、オフラインP2P通信は、現在の通信ネットワークの課金システムの複雑性を増加させずに、２つのUEの間で確立され得る。
【００１１】
本発明の他の目的は、オフラインP2P通信方法及び装置を提供することであり、このオフラインP2P通信方法及び装置では、UEは、通信ネットワークのサービスエリアの内側であるか外側であるかに従ってオフラインP2P通信のパラメータを選択することができ、これにより、オフラインP2P通信モードを従来の通信に採用することにより生じる干渉を軽減する。
【００１２】
本発明の更に他の目的は、オフラインP2P通信方法及び装置を提供することであり、このオフラインP2P通信方法及び装置では、UEは、通信ネットワークの無線リソースを独立して使用することができ、これにより、通信ネットワークの容量を更に増加させる。
【課題を解決するための手段】
【００１３】
本発明に従って通信ネットワークシステムで実行されるオフラインP2P通信方法が提案され、オフラインP2P通信サービスに登録する要求をUEから受信し、UEが要求に従ってオフラインP2P通信を実行するための所定の要件を満たすか否かを判定し、判定結果に従って認証情報を生成し、認証情報は、UEがオフラインP2P通信サービスを使用することができるか否かを示し、認証情報をUEに送信することを有する。
【００１４】
本発明に従ってUEで実行されるオフラインP2P通信方法が提案され、オフラインP2P通信に登録する要求を通信ネットワークシステムに送信し、通信ネットワークシステムから認証情報を受信し、認証情報は、UEがオフラインP2P通信サービスを使用することができるか否かを示し、認証情報に従ってオフラインP2P通信が開始され得るか否かを判定することを有する。
【００１５】
本発明に従って通信ネットワークシステムが提案され、オフラインP2P通信サービスに登録する要求をUEから受信する受信ユニットと、UEが要求に従ってオフラインP2P通信を実行するための所定の要件を満たすか否かを判定する判定ユニットと、判定結果に従って認証情報を生成し、認証情報は、UEがオフラインP2P通信サービスを使用することができるか否かを示す生成ユニットと、認証情報をUEに送信する送信ユニットとを有する。
【００１６】
本発明に従ってUEが提案され、オフラインP2P通信に登録する要求を通信ネットワークシステムに送信する送信ユニットと、通信ネットワークシステムから認証情報を受信し、認証情報は、UEがオフラインP2P通信サービスを使用することができるか否かを示す受信ユニットとを有する。
【発明を実施するための最良の形態】
【００１７】
本発明の完全な理解と共に、他の目的及び到達は、添付図面を考慮して以下の説明及び請求項を参照することで明らかになり、理解される。
【００１８】
特定の実施例及び添付図面と共に、本発明への完全な説明が以下に示される。
【００１９】
全ての図面で、同様の参照符号は同様の又は対応する特徴又は機能を示すことがわかる。
【００２０】
本発明で提案されるP2P通信方法によれば、オフラインP2P通信モードを使用するユーザは、所定の料金を支払うことを通じて、無線通信ネットワークオペレータからオフラインP2P通信のライセンスを購入する。ユーザがオペレータにより提供されるオフラインP2P通信サービスを使用することができることを示す認証識別子を取得した後に、ユーザは、この認証識別子で他のユーザとオフラインP2P通信を開始することができる。
【００２１】
以下では、図４と共に本発明で提案されるオフラインP2P通信方法を説明するために、TD-SCDMAシステムが一例として挙げられる。
【００２２】
I  オフラインP2P通信サービスの登録
まず、オフラインP2P通信サービスの登録ユーザの情報データベースが無線通信ネットワークのネットワークで構築され、オフラインP2P通信サービスの登録ユーザ毎のユーザID（IMSI：International  Mobile  Subscriber  Identity等）とそのP2P通信識別コードとを格納する（ステップS10）。
【００２３】
次に、ユーザの位置が無線通信ネットワークのサービスエリアの内側であるか外側であるかに従って、異なるP2P通信パラメータが設定され、これにより、ユーザは、P2P通信パラメータ（P2P通信の送信電力等）に従って、オフラインP2P通信の間にこれらのUEの送信電力を制御することができる（ステップS20）。
【００２４】
P2P通信パラメータに関して、UEの位置が無線通信ネットワークのサービスエリアの内側であるか外側であるかに従って、少なくとも２つのグループの値が設定され得る。UEが無線通信ネットワークのサービスエリアの内側である場合、オフラインP2P通信と従来の通信との間で干渉が生じ得るため、オフラインP2P通信パラメータの設定は、オフラインP2P通信の無線送信範囲を制限するように、無線通信ネットワークの動作状態と採用される無線リソース割り当て方式とを考慮することにより厳密に制御されるべきである。これにより、オフラインP2P通信と従来の通信との間の干渉をできるだけ回避する。逆に、UEが無線通信ネットワークのサービスエリアの外側である場合、オフラインP2P通信と従来の通信との間で干渉が生じないため、P2P通信パラメータの設定は比較的緩く設定され得る。これにより、オフラインP2P通信の無線送信範囲を広げる。
【００２５】
更に、無線通信ネットワークのサービスエリアの外側のUEに関して、そのP2P通信パラメータは、異なるグループの値として設定されてもよい。一例として最大送信電力を挙げると、異なる視界のような異なる状況でオフラインP2P通信の要件を適応させるために、異なる値を有する最大送信電力が設定されてもよい。
【００２６】
P2P通信パラメータが設定されてオフラインP2P通信サービスの登録ユーザについての情報が格納され得るネットワークが、オフラインP2Pサービス登録要求をUE1から受信すると（ステップS30）、ネットワークはこの要求に応答し、オフラインP2P通信でUE1を特定するP2P通信識別コードを生成し、対応してUE1のユーザIDと共に情報データベースでUE1を特定するために、P2P通信識別コードを格納する（ステップS40）。
【００２７】
次に、ネットワークは、UE1がオフラインP2P通信サービスを使用するための所定の要件（例えば、UE1がオフラインP2P通信の所定の料金を支払っているか否か）を満たすか否かを判定する（ステップS50）。UE1が所定の要件を満たす場合、ネットワークは、UE1がオフラインP2P通信サービスを使用することができることを示すUE1の認証識別子を生成し、認証識別子はUE1に送信される認証情報にカプセル化される（ステップS60）。認証情報は、UE1がオフラインP2P通信サービスを使用することができるか否かを示す。UE1が所定の要件を満たさない場合、ネットワークは未認証識別子を生成する。未認証識別子は、UE1がオフラインP2P通信サービスを使用することができないことを示す。未認証フラグも認証情報にカプセル化される（ステップS70）。
【００２８】
その後、ネットワークはP2P通信パラメータと共に認証情報をUE1に送信する（ステップS80）。更に、ネットワークはまた、認証情報及びP2P通信パラメータをそれぞれUE1に送信し得る。
【００２９】
認証情報及びP2P通信パラメータを受信すると、UE1はオフラインP2P通信を実行するときに呼び出されるためにこれらを格納する（ステップS90）。認証情報は、UE1がオフラインP2P通信を開始することができるか否かをUEが判定するために、例えばSIMカードに格納され、P2P通信パラメータは、UE1がオフラインP2P通信中にUEの送信電力を制御するために、SIMカード又はUEのメモリに格納される。
【００３０】
II  オフラインP2P通信の開始
UE1が他のUE（UE2等）とオフラインP2P通信を確立しようとすると、まず、UE1の認証モジュールは、UEがUE1のSIMカードに格納された認証情報に従ってオフラインP2P通信を開始する承認を取得しているか否かを判定する（ステップS100）。
【００３１】
認証モジュールにより実行される動作は次のようになる。SIMカードに格納された認証情報を読み取り、認証情報に従ってオフラインP2P通信を開始するか否かを決定する。認証情報が認証識別子を有する場合（すなわち、UE1がオフラインP2P通信サービスを使用することができる場合）、UE1はUE2とオフラインP2P通信を開始する。認証情報が未認証識別子を有する場合（すなわち、UE1がオフラインP2P通信サービスを使用することができない場合）、UE1はUE2とオフラインP2P通信を確立する試みを中止し、“オフラインP2P通信サービスを使用することができない”という通知をフィードバックする。
【００３２】
認証モジュールは、ソフトウェア又はハードウェアで実装されてもよく、双方の組み合わせで実装されてもよい。認証モジュールがソフトウェアで実装される場合、ソフトウェアのアプリケーションはUE1に予め固体化されてもよく、ネットワークからUE1にダウンロードされてもよい。UE1がネットワークから認証モジュールを取得する場合、UE1が前記の認証情報に従ってオフラインP2P通信を開始するか否かを決定する機能を有することができるように、UE1はアプリケーションを作動することにより、ダウンロードされた認証モジュールをインストールしてもよい。
【００３３】
オフラインP2P通信が認証情報に従って可能になり得る場合、UE1はその位置に従って対応のP2P通信パラメータを選択する。これにより、オフラインP2P通信を確立して維持するときにその送信電力を制御する。UE1のP2P通信パラメータ呼び出しモジュールはこれらの動作を実行し、ステップは以下のようになる。
【００３４】
無線通信ネットワークからパイロット信号の強度を検出し、UE1が無線通信ネットワークのサービスエリアの内側であるか外側であるかを決定する（ステップS110）。TD-SCDMAシステムでは、UE1の位置は、DwPTS（Downlink  Pilot  Time  Slot）又はCCPCH（Primary  Common  Control  Physical  Channel）の信号強度を検出することを通じて決定され得る。
【００３５】
検出された位置情報に従って、P2P通信パラメータ呼び出しモジュールは、SIMカード又はUE1のメモリに格納されたP2P通信パラメータからP2P通信パラメータの対応のグループを選択する（ステップS120）。すなわち、UE1が無線通信範囲の外側である場合、UE1は、UEが無線通信範囲の外側である場合に対応するP2P通信パラメータを選択し、P2P無線通信の無線送信範囲を広げる。UE1が無線通信範囲の内側である場合、UE1は、UEが無線通信範囲の内側である場合に対応するP2P通信パラメータを選択し、P2P通信の無線通信範囲を制限する。或いは、UE1は、BCCH（Broadcast  Control  Channel）でネットワークにより送信されたオフラインP2P通信に関係するP2P通信パラメータを読み取り、最大送信電力の値を厳密に制限する。
【００３６】
P2P通信パラメータ呼び出しモジュールは、ソフトウェア又はハードウェアで実装されてもよく、双方の組み合わせで実装されてもよい。ソフトウェアで実装される場合、ソフトウェアのアプリケーションはUE1に予め固体化されてもよく、ネットワークからUE1にダウンロードされてもよい。UE1がネットワークからP2P通信パラメータ呼び出しモジュールを取得する場合、UE1が通信ネットワークのサービスエリアの内側又は外側のその位置に従って対応のP2P通信パラメータを選択する機能を有することができるように、UE1はアプリケーションを作動することにより、ダウンロードされたP2P通信パラメータ呼び出しモジュールをインストールしてもよい。
【００３７】
対応のP2P通信パラメータを取得した後に、UE1は、UE2とオフラインP2P通信を開始し得る（ステップS130）。UE2とP2Pリンクを確立するときに、UE1は、UE2のP2P通信識別コードをヒューマン・マシン・インタフェースを介して直接入力してもよく、UE2のユーザIDをまず入力して、ネットワーク又はUE1に格納されたUE2のユーザIDとP2P通信識別コードとの間のマッピング関係から、UE2の対応のP2P通信識別コードを探してもよい。UE1がUE2のP2P通信識別コードを取得する方法に関して、代理人管理番号CN040033でこの出願と共にKONINKLIJKE  PHILIPS  ELECTRONICS  N.V.により出願された特許出願に詳細に記載されている。この文献が参照として取り込まれる。
【００３８】
III  オフラインP2P通信のリンク探索（link  probing）の実行
対応のP2P通信パラメータが決定されると、UE1はUE2とP2P通信リンクを確立するために、リンク探索を試みる（ステップS140）。
【００３９】
まず、UE1は、初期探索電力としてP2P通信パラメータのリンク探索用に最大送信電力を採用し、P2P通信リンクを探索する。探索中に、UE1は、通信要件に従って送信電力を調整してもよいが、最大送信電力を超えないように、呼び出されたP2P通信パラメータでリンク探索用の最大送信電力の値に従ってその送信電力を制御しなければならない。
【００４０】
探索が失敗すると、UE1は、UE2とのオフラインP2P通信の確立を試みる動作を終了する。探索が成功すると、UE1はその送信電力として探索電力を採用して、オフラインP2P通信を開始する。
【００４１】
IV  オフラインP2P通信の維持
P2Pリンク探索が成功した後に、UE1及びUE2はオフラインP2P通信モードに入る。オフラインP2P通信では、UE1及びUE2は通信環境の変化と共にこれらの送信電力を調整し続ける。UE1は、最大送信電力の上にならないように、呼び出されたP2P通信パラメータでオフラインP2P通信用の最大送信電力の値に従ってその送信電力を制御する。P2P通信パラメータのリンク探索を実行し、P2P通信パラメータに従ってオフラインP2P通信送信電力を制御する前記の手順に関しては、代理人管理番号No.CN040035でこの出願と共にKONINKLIJKE  PHILIPS  ELECTRONICS  N.V.により出願された特許出願に詳細に記載されている。
【００４２】
V  オフラインP2P通信の終了
UE1及びUE2がオフラインP2P通信を終了すると（ステップS160）、UE2のP2P通信識別コードがUE1にまだ格納されていない場合、UE1は、UE2とオフラインP2P通信を確立するときに使用するために、UE1のユーザの要件に従ってUE2のP2P通信識別コードを保存してもよい。
【００４３】
前記の説明は、前払いで無線通信ネットワークオペレータからオフラインP2P通信ライセンスを購入するオフラインP2Pサービスの登録ユーザがオフラインP2Pサービスの他の登録ユーザとオフラインP2Pサービスを確立して維持する手順に進む。UEにより取得されるオフラインP2P通信の期間は、ユーザの前払い料金により決定される。
【００４４】
実際の用途では、オフラインP2P通信のライセンスを取得するために前払いすることに加えて、ネットワークオペレータからオフラインP2P通信サービスを取得する他の方法が存在し得る。
【００４５】
例えば、ネットワークにおいて、従来の通信モードでのUEのデータトラヒック又は通信保持期間が累積されてもよく、ユーザにより取得されるオフラインP2P通信の期間は累積時間により決定される。次に、ネットワークは、ユーザが使用することができるオフラインP2P通信期間を認証情報にカプセル化し、これをUEに送信してもよい。
【００４６】
他のユーザとオフラインP2P通信を実行しようとすると、まず、UEの課金モジュールは、UEにより使用されるオフラインP2P通信期間がUEに格納された認証情報に含まれるか否かを検出する。UEにより使用されるオフラインP2P通信期間が存在する場合、課金モジュールは、オフラインP2P通信のUEの時間を累積するために、UE1内のタイマを起動する。
【００４７】
課金モジュールは、ヒューマン・マシン・インタフェースを介してユーザに残されたオフラインP2P通信時間を示すことができるだけでなく、残されたオフラインP2P通信時間が所定の値より下になったときにオフラインP2Pサービスを購入するようにユーザに促すことができる。
【００４８】
タイマにより累積されたP2P通信時間がユーザにより使用されるオフラインP2P通信期間を超過すると、課金モジュールは、未認証識別子として認証情報を設定する。これにより、UEのユーザは他のユーザとのオフラインP2P通信を終了する。
【００４９】
従来の通信モードのユーザの通信期間が再び所定の値に到達して、ネットワークが認証識別子を有する新しい認証情報を生成した場合にのみ、ユーザは、受信した認証情報を使用して、他のユーザとオフラインP2P通信を開始することができる。
【００５０】
前記の課金モジュールは、ソフトウェア又はハードウェアで実装されてもよく、双方の組み合わせで実装されてもよい。課金モジュールがソフトウェアで実装される場合、ソフトウェアのアプリケーションはUEに予め固体化されてもよく、ネットワークからUEにダウンロードされてもよい。UEがネットワークから課金モジュールを取得する場合、UEが累積されたP2P通信時間に従ってオフラインP2P通信を続けることができるか否かを決定する機能を有することができるように、UEはアプリケーションを作動することにより、ダウンロードされた課金モジュールをインストールしてもよい。
【００５１】
本発明で提案されるオフラインP2P通信方法は、ソフトウェア又はハードウェアで実装されてもよく、双方の組み合わせで実装されてもよい。
【００５２】
図５は、本発明の実施例に従ってオフラインP2P通信を実現する手順におけるUE1及びネットワークシステムUTRANのアーキテクチャを示すブロック図である。図５では、従来のネットワークシステム及びUEと同じ構成要素は示されていない。
【００５３】
図５に示すように、UTRAN100は、オフラインP2P通信サービスに登録する要求をUE1から受信する受信ユニット110と、UE1が要求に従ってオフラインP2P通信の所定の要件を満たすか否かを判定する判定ユニットと、判定結果に従って認証情報を生成し、認証情報はUE1がオフラインP2P通信サービスを使用することができるか否かを示す生成ユニット130と、認証情報をUE1に送信する送信ユニット140とを有する。
【００５４】
認証情報は、UE1が所定の要件を満たす場合にUEがオフラインP2P通信サービスを使用することができることを示す認証識別子を有する。認証情報は、UE1がオフラインP2P通信を実行する所定の期間を更に有してもよい。所定の期間は、オフラインP2P通信についてのUE1の前払い料金、又は従来の通信モードでのUE1の累積時間により決定される。
【００５５】
UTRANは、送信ユニット140を介してUE1に送信されるP2P通信パラメータを設定する設定ユニット150を更に有する。これにより、UE1は、P2P通信パラメータに従ってオフラインP2P通信でその送信電力を制御することができる。
【００５６】
UE1は、オフラインP2P通信に登録する要求をUTRANに送信する送信ユニット10と、認証情報をUTRANから受信し、認証情報は、UEがオフラインP2P通信サービスを使用することができるか否かを示す受信ユニット20と、オフラインP2P通信が認証情報に従って可能になり得るか否かを判定する認証モジュール30とを有し、判定ユニット32は、この認証情報が認証識別子を有するか否かを判定するために使用され、認証フラグは、UEがオフラインP2Pサービスを使用することができることを示し、開始モジュール34は、この認証情報が認証識別子を有する場合に、他のUEとオフラインP2P通信を開始し、この認証識別子が未認証フラグを有する場合に、他のUEとオフラインP2P通信を開始しないために使用される。UE1がオフラインP2P通信サービスにまだ登録していない場合、未認証識別子を有する初期設定の認証情報がUE1に存在する。
【００５７】
UE1は、UE1の位置を検出し、検出結果に従って受信ユニット20により受信されたUTRANからのP2P通信パラメータからP2P通信パラメータの対応するグループを選択するP2P通信パラメータ呼び出しモジュール50と、選択されたP2P通信パラメータを使用してオフラインP2P通信の送信電力を制御する電力制御ユニット60とを更に有する。
【００５８】
UE1は課金モジュール70を更に有し、課金モジュール70は、UE1がオフラインP2P通信を実行する所定の期間を認証情報が有するか否かを検出する検出ユニット72と、UEがP2P通信を実行する時間を累積する累積ユニット74と、累積時間が所定の期間を超過したか否かを判定する判定ユニット76と、所定の期間を超過したことを判定ユニットが判定したときに、未認証識別子として認証情報を設定する設定ユニット78とを更に有する。
【００５９】
従来のUEで提案のオフラインP2P通信方法を実現するために、UE1が認証モジュール30を有さない場合、UE1が認証情報に従ってオフラインP2P通信を開始するか否かを決定する機能を有することができるように、UE1は受信ユニット20を介してUTRANから認証モジュール30をダウンロードし、インストールユニット40を通じて認証モジュールを作動してもよい。
【００６０】
UE1がP2P通信パラメータ呼び出しモジュール50を有さない場合、UE1がその位置に従って対応のオフラインP2P通信パラメータを選択する機能を有することができるように、UE1は受信ユニット20を介してUTRANからP2P通信パラメータ呼び出しモジュール50をダウンロードし、インストールユニット40を通じてP2P通信パラメータ呼び出しモジュール50を作動してもよい。
【００６１】
UE1が課金モジュール70を有さない場合、UE1が累積されたP2P通信時間に従ってオフラインP2P通信を実行するか否かを決定する機能を有することができるように、UE1は受信ユニット20を介してUTRANから課金モジュール70をダウンロードし、インストールユニット40を通じて課金モジュール70を作動してもよい。
【００６２】
本発明の有利な用法
添付図面と共に考慮される本発明の実施例への詳細な説明に関して、本発明で提案されるオフラインP2P通信方法及び装置では、UEは、前払いで又は従来のモードで通信時間を累積することで、ネットワークオペレータからオフラインP2P通信のライセンスを取得することができる。これにより、オフラインP2P通信モードの課金方法が簡単になり、無線通信ネットワークの課金コストが節約され得る。特に、従来の通信モードで通信時間を累積することを通じてオフラインP2P通信の認証を取得する方法では、ネットワークオペレータは、従来の通信サービスを使用するユーザを多く引き付けることができ、従来の通信モードでの営業収入を増加させることができる。
【００６３】
更に、本発明で提案されるオフラインP2P通信方法及び装置では、UEは、無線通信ネットワークの内側であるか外側であるかに従って対応のP2Pパラメータを選択することができる。これにより、UEが通信ネットワークのサービスエリア内にいるときに、従来の通信に対してオフラインP2P通信により生じる無線干渉が効果的に軽減可能になり、無線通信ネットワークの容量が更に改善可能になるだけでなく、UEが通信ネットワークのサービスエリアの外側にいるときに、無線送信範囲が広がることが可能になり、P2P通信は無線通信ネットワークのサービスエリアの外側に明るい将来を提供することができる。
【００６４】
更に、本発明で提案されるオフラインP2P通信方法及び装置は、従来の通信モードと組み合わせて実際の用途で使用される。すなわち、UEがアイドルモードのときに、UEは従来の通信モードからページング信号が存在するか否かを監視する間にP2Pリンク探索信号を探し、UEがP2P通信中のときに、UEはページングチャネルを依然として監視し続け、従来の通信モードからページングを失うことを回避する。従って、本発明で提案されるオフラインP2P通信方法及び装置では、安定した従来の通信サービスが実現可能であり、同時に、P2P通信によりもたらされる広い通信空間が使用可能になる。
【００６５】
特許請求の範囲に記載の本発明の要旨及び範囲を逸脱することなく、本発明で開示されたオフラインP2P通信方法及び装置は様々な変更が行われ得ることが、当業者にわかる。
【図面の簡単な説明】
【００６６】
【図１】従来の通信モードを採用したTD-SCDMシステムを示す図
【図２】オンラインP2P通信モードを採用したTD-SCDMAシステムを示す図
【図３】オフラインP2P通信モードを採用したTD-SCDMAシステムを示す図
【図４】本発明の実施例によるP2P通信方法を示すフローチャート
【図５】本発明によるオフラインP2P通信方法を実装したUE及び通信ネットワークシステムのアーキテクチャを示すブロック図
【図１】
2008510341.tif 000003
【図２】
2008510341.tif 000004
【図３】
2008510341.tif 000005
【図４】
2008510341.tif 000006
【図５】
2008510341.tif 000007
【国際調査報告】
2008510341.tif 000008
2008510341.tif 000009